(57)【要約】  【課題】  パーソナルコンピュータを使用しないで既撮影画像のレイアウトを容易に編集できる。  【解決手段】  ディジタルカメラの既撮影画像のサイズおよび座標を変更して（ステップＳ７およびＳ９）、変更された画像を所定の大きさのキャンバス画像上に配置してレイアウト画像が作成される。レイアウト画像は、記録媒体に保存され、プリンタによってプリントすることができる（ステップＳ１４）。サイズおよび座標を変更する場合に、ズームキーを操作してＬＣＤに表示される画面を拡大または縮小することができ、画面が小さい場合でも、キャンバス画像と配置画像の相対的関係を分かりやすいものとできる。【選択図】  図６
2006115044.tif 000002
【特許請求の範囲】
【請求項１】
撮像素子と、表示装置と、上記表示装置に表示される画像を蓄える記憶媒体と、ユーザの入力を受け付ける入力装置とを備える撮像装置において、
上記記憶媒体に蓄えられている１または複数の既撮影画像を上記表示装置に表示して所望の既撮影画像を選択し、
上記既撮影画像のサイズおよび座標を設定して、所定の大きさの領域に上記既撮影画像を配置する編集がなされ、
上記編集時に上記入力装置に備えられたズームキーによって上記表示装置の表示を拡大または縮小するようになされた撮像装置。
【請求項２】
請求項１において、
上記既撮影画像を配置するレイアウトが複数のテンプレートとして用意され、上記複数のテンプレートの中で所望のものが選択可能とされた撮像装置。
【請求項３】
請求項１において、
上記既撮影画像に付属する付加的情報を使用してテキストのサイズおよび座標を設定して、上記テキストを上記領域に配置するようになされた撮像装置。
【請求項４】
撮像素子と、表示装置と、上記表示装置に表示される画像を蓄える記憶媒体と、ユーザの入力を受け付ける入力装置とを備える撮像装置を使用するレイアウト編集方法において、
上記記憶媒体に蓄えられている１または複数の既撮影画像を上記表示装置に表示して所望の既撮影画像を選択し、
上記既撮影画像のサイズおよび座標を設定して、所定の大きさの領域に上記既撮影画像を配置する編集がなされ、
上記編集時に上記入力装置に備えられたズームキーによって上記表示装置の表示を拡大または縮小するレイアウト編集方法。
【請求項５】
撮像素子と、表示装置と、上記表示装置に表示される画像を蓄える記憶媒体と、ユーザの入力を受け付ける入力装置とを備える撮像装置を使用するレイアウト編集方法プログラムにおいて、
上記記憶媒体に蓄えられている１または複数の既撮影画像を上記表示装置に表示して所望の既撮影画像を選択し、
上記既撮影画像のサイズおよび座標を設定して、所定の大きさの領域に上記既撮影画像を配置する編集がなされ、
上記編集時に上記入力装置に備えられたズームキーによって上記表示装置の表示を拡大または縮小するレイアウト編集方法をコンピュータに対して実行させるプログラム。
【発明の詳細な説明】
【技術分野】
【０００１】
この発明は、例えばディジタルカメラに適用され、撮影画像を任意にレイアウトした画像を容易に作成できる撮像装置、レイアウト編集方法およびプログラムに関する。
【背景技術】
【０００２】
従来、パーソナルコンピュータによってディジタルカメラで撮影した複数の画像を所望のレイアウトで配置した画像を作成する編集用のソフトウェアが知られている。例えば下記の特許文献１には、撮影画像をアルバムの台紙に貼る画像検索編集装置として、貼り付ける画像とアルバム台紙（レイアウト）を選択して、自動で決められた場所に画像を貼る時に、レイアウトする画像を容易に検索することができる技術が開示されている。
【０００３】
【特許文献１】特開２００２−２０４３８７号公報
【０００４】
かかる画像編集用ソフトウェアは、パーソナルコンピュータの使用を前提とするもので、ディジタルカメ単体での画像編集を意図したものではなかった。パーソナルコンピュータを使用しないで、撮影画像を印刷する方法として、ＤＰＯＦ(Digital Print Order Format)やPictBridgeなどが知られている。これらのフォーマットでは、複数の画像を単純に既定の位置に割り付けて印刷することができても、ユーザの所望のレイアウトの画像を作成することができなかった。また、これらのフォーマットは、印刷のためのフォーマットであるために、レイアウトされた画像を印刷できても記憶媒体に保存することができなかった。
【発明の開示】
【発明が解決しようとする課題】
【０００５】
パーソナルコンピュータ用の画像編集ソフトウェアをディジタルカメラに搭載してレイアウト編集を行うことは、ディジタルカメラの場合では、表示画面のサイズが小さく、使用できる入力装置が限定される制約のために、実際には困難であった。
【０００６】
したがって、この発明の目的は、ディジタルカメラ単体で撮影画像を所望のレイアウトに配置する編集を容易に行うことが可能な撮像装置、レイアウト編集方法およびプログラムを提供することにある。
【課題を解決するための手段】
【０００７】
上述した課題を解決するために、この発明の第１の態様は、撮像素子と、表示装置と、表示装置に表示される画像を蓄える記憶媒体と、ユーザの入力を受け付ける入力装置とを備える撮像装置において、
記憶媒体に蓄えられている１または複数の既撮影画像を表示装置に表示して所望の既撮影画像を選択し、
既撮影画像のサイズおよび座標を設定して、所定の大きさの領域に既撮影画像を配置する編集がなされ、
編集時に入力装置に備えられたズームキーによって表示装置の表示を拡大または縮小するようになされた撮像装置である。
【０００８】
この発明の第２の態様は、撮像素子と、表示装置と、表示装置に表示される画像を蓄える記憶媒体と、ユーザの入力を受け付ける入力装置とを備える撮像装置を使用するレイアウト編集方法において、
記憶媒体に蓄えられている１または複数の既撮影画像を表示装置に表示して所望の既撮影画像を選択し、
既撮影画像のサイズおよび座標を設定して、所定の大きさの領域に既撮影画像を配置する編集がなされ、
編集時に入力装置に備えられたズームキーによって表示装置の表示を拡大または縮小するレイアウト編集方法である。
【０００９】
この発明の第３の態様は、撮像素子と、表示装置と、表示装置に表示される画像を蓄える記憶媒体と、ユーザの入力を受け付ける入力装置とを備える撮像装置を使用するレイアウト編集方法プログラムにおいて、
記憶媒体に蓄えられている１または複数の既撮影画像を表示装置に表示して所望の既撮影画像を選択し、
既撮影画像のサイズおよび座標を設定して、所定の大きさの領域に既撮影画像を配置する編集がなされ、
編集時に入力装置に備えられたズームキーによって表示装置の表示を拡大または縮小するレイアウト編集方法をコンピュータに対して実行させるプログラムである。
【発明の効果】
【００１０】
この発明によれば、撮影され、保存されている画像（既撮影画像）をパーソナルコンピュータを使用しないで任意にレイアウト編集することができる。編集時にディジタルカメラに備えられているズーム操作部によって、画面をズームイン／ズームアウトすることができるので、表示画面が小さい場合でも、ディジタルカメラが有しているズームキーを使用して編集中の画面を見やすいものとでき、キャンバス画像と配置される画像の相対的関係が分かりやすくなり、操作性を向上することができる。
【発明を実施するための最良の形態】
【００１１】
以下、この発明の一実施形態について図面を参照しながら説明する。図１に、この発明の一実施形態によるディジタルカメラの構成の一例を示す。一実施形態は、社団法人  電子情報技術産業協会(JEITA:Japan Electronics and Information Technology industries Association)の規格として定められている現在の標準的なディジタルカメラの規格に準
拠したものである。
【００１２】
すなわち、一実施形態は、ＤＣＦ(Design rule for Camera File System)のファイルシステムの規格に準拠し、Ｅｘｉｆ(Exchangeable image file format for digital still
camera)のファイルフォーマットの規格に準拠したものである。ＪＰＥＧファイルフォー
マットには、アプリケーションマーカセグメントという領域が定義されており、アプリケーション固有の情報を格納できるようにされている。Ｅｘｉｆファイルフォーマットは、この領域にＥｘｉｆ独自の情報を格納している。
【００１３】
図１において、破線で囲んで示す部分１は、ＣＰＵ(Central Processing Unit)２によ
って制御される処理部を示す。処理部１は、ＲＡＭ等の内部記録媒体３、画像処理部４、外部インターフェース５、ＲＧＢ処理部６、信号処理部７およびビデオ出力処理部８によって構成されている。ＣＰＵ２に対して操作部９が接続され、操作部９に設けられシャッター等の操作に応じた信号がＣＰＵ２に供給される。
【００１４】
さらに、メディア処理部１０を介して外部記録媒体１１に対して撮像信号をＪＰＥＧ（Joint Photographic Experts Group)等で圧縮したデータを記録するようになされている
。外部記録媒体１１は、書き込み可能な光ディスク、メモリカード等である。
【００１５】
信号処理部７には、撮像素子としてのＣＣＤ（Charge Coupled Device)１２からの撮像信号が供給され、撮像信号の処理がなされる。操作部９からの入力の有無と無関係に、ＣＣＤ１２により撮像された画像信号が信号処理部７から出力され、内部記録媒体３に保存される。撮影中では、内部記録媒体３の画像が常に更新されている。内部記録媒体３のデータの書き込み、読み出し等は、ＣＰＵ２によって制御される。
【００１６】
内部記録媒体３からの撮像信号が信号処理部７を通ってＲＧＢ処理部６に供給され、ＲＧＢ処理部６で形成された表示信号が表示装置としてのＬＣＤ（Liquid Crystal Display)１３に供給される。ＬＣＤ１３は、例えばカメラ本体の背面に設けられたものである。
ＬＣＤ１３には、撮像信号のみならず、外部記録媒体１１からメディア処理部１０を介して取り込まれた画像信号も表示される。
【００１７】
操作部９のシャッターが押された場合には、内部記録媒体３に取り込まれた撮像信号が画像処理部４において、ＪＰＥＧ等の画像ファイルに変換される。画像ファイルは、内部記録媒体３に撮像信号とは別のデータとして保存される。そして、ＣＰＵ２の制御によって、内部記録媒体３から読み出された画像ファイルがメディア処理部１０を介して外部記録媒体１１に保存される。
【００１８】
常に更新されてＬＣＤ１３に再生画像が表示される。再生画像に対して、記録済の画像データの縮小画像、アイコン等のＯＳＤデータが信号処理部７で重ね合わされて、ＬＣＤ１３に表示される。ＯＳＤ(On Screen Display)とは、カメラから取り込んだリアルタイ
ムの画像に重ねて表示するアイコン等のデータを準備するためのメモリ領域や、仕組みを総称する用語である。
【００１９】
ＯＳＤデータを作成する際には、外部記録媒体１１に既に記録されている最新の画像データを取得し、画像処理部４によって、ＯＳＤ表示に適したサイズに変換してから、内部記録媒体３のＯＳＤ表示エリアに記憶する。但し、直前に撮影した画像のＯＳＤ表示に適したサイズの画像が内部記録媒体３に存在する時には、外部記録媒体１１からデータを取得する必要がない。画像処理部４は、操作部９におけるユーザのキー等の操作に応答して、表示する画像の拡大または縮小の処理を行うように、ＣＰＵ２によって制御される。
【００２０】
ビデオ出力処理部８から図示しない映像出力端子には、アナログのカラービデオ信号が取り出される。映像出力端子に対して外部モニタ１４を接続した場合には、内部記録媒体３または外部記録媒体１１に蓄積されている画像を外部モニタ１４によって表示することができる。さらに、外部インターフェース５には、例えばプリンタ１５が接続され、画像を印刷することが可能とされている。
【００２１】
操作部９には、シャッターボタン、ズームキー、十字キー等が含まれている。十字キーは、十字形の操作部の各先端部（左キー、右キー、上キー、下キーと称する）を押すことによってカーソルの移動方向を上下左右の何れかの方向に指定するものである。なお、方向キーとしては、十字キー以外に、ダイヤル、ローラ、トラックボール、タッチパネル等の入力装置を使用することができる。また、機械的な構成に限らず、表示画面のボタン等を操作するＧＵＩ(Graphical User Interface)を使用しても良い。
【００２２】
Ｅｘｉｆファイルフォーマットでは、Ｅｘｉｆ  ＩＦＤの付属情報が規定されている。Ｅｘｉｆ  ＩＦＤの付属情報には、撮影日時、撮影場所、画像データの構成等に関するタグが含まれている。撮影場所の情報は、ＧＰＳ(Global Positioning System)機能、オー
プンｉエリアのような携帯電話会社の提供するサービスを利用した位置情報取得技術等によって得ることができる。取得した位置情報は、内部記録媒体３または外部記録媒体１１に保存される。内部記録媒体３または外部記録媒体１１に保存されている画像の付属情報は、Ｅｘｉｆファイルフォーマットによって画像ファイル内に包括されている。
【００２３】
図２に示すように、この発明の一実施形態では、保存されている１以上の既撮影画像が所定の台紙例えば（２，５９２×１，９４４）画素の領域（以下、適宜キャンバス画像と称する）２１に対して所望の大きさで、且つ所望の位置にレイアウトされる。レイアウト後に得られた合成画像（以下、レイアウト画像と適宜称する）は、一つの画像ファイルとして内部記録媒体３または外部記録媒体１１に保存される。保存されたレイアウト画像は、ＬＣＤ１３に表示され、また、外部インターフェース５を介してプリンタ１５によって印刷される。さらに、画像に関連した付属情報を利用して撮影日時の情報２２および撮影場所の情報２３を挿入することが可能とされている。
【００２４】
図３は、レイアウト画像を作成するための編集処理を概念的に説明するものである。例えば（６４０×４８０）のサイズをそれぞれ有する画像Ａ、Ｂ、Ｃがそれぞれ既撮影画像である。レイアウト編集中では、画像処理部４において、内部記録媒体３にディジタルデータとして保存しながらキャンバス画像２１上にレイアウト編集を行う。レイアウト編集中では、各画像が座標とスケールの情報を有し、ユーザが操作部９における操作によって座標とスケールの情報が所望のものに変更される。
【００２５】
各画像の例えば左上隅の位置がキャンバス画像２１上の２次元座標上で位置する点が座標（Ｘ，Ｙ）と定義される。各画像の中心位置等を座標と定義しても良い。スケール情報は、画像の水平方向および垂直方向のそれぞれの画素数で表されるものである。スケール情報は、１または複数画素単位で変更可能とされている。但し、縦横比は、スケール情報を変更した場合でも元の画像と同じものに保持される。スケール情報を縮小比率または拡大比率で定義しても良い。
【００２６】
各画像のキャンバス画像上の位置、並びに各画像のサイズは、内部記録媒体３に読み込まれた画像データをＬＣＤ１３に表示し、ＬＣＤ１３の表示を見ながら操作部９に設けられている十字キーおよびズームキーを操作することで任意に変更される。編集中では、画像Ａ、画像Ｂ、画像Ｃ並びにキャンバス画像２１のそれぞれのデータを個別に保持している。編集が完了すると、これらの画像が１枚のレイアウト画像としてキャンバス画像２１上に合成されて保存される。
【００２７】
レイアウト画像を作成するために、上述したように、ユーザが各画像の位置およびサイズを任意に設定するレイアウト方法（以下、この方法をフリーレイアウトと適宜称する）の他に、予め複数のテンプレートが用意されている。図４は、デジタルカメラのＬＣＤ１３に表示されるテンプレート選択メニュー（このメニューを以下「レイアウトプリント」と適宜称する）の一例を示している。「レイアウトプリント」は、例えばディジタルカメラのプリントメニュー中の一つのメニューとして用意されている。
【００２８】
テンプレート選択メニューの画面表示は、レイアウト選択部１８と、選択を表示するハイライト部分１９と、選択されたテンプレートに対応するレイアウト画像のサンプルとからなる。十字キーの上下キーを操作することによって、レイアウト選択部１８のハイライト部分１９を上下に移動させることができ、十字キーの決定キーを押すことによってレイアウトの選択が確定される。
【００２９】
図４の最上段の表示画面は、レイアウト選択部１８において、レイアウト方法として「日記」を選択した場合を示している。レイアウト画像のサンプル２０ａがレイアウト選択部１８の横に表示されている。図５は、「日記」のレイアウト方法を選択して作成されたレイアウト画像２０ａの一例を示す。「日記」は、画像を一枚ずつポラロイドカメラで撮影したような、色合い、解像度等が不十分な画像に変換し、さらに、各画像の周辺の余白に日時、場所等のテキストを加えることができるレイアウト方法である。
【００３０】
図４の上から第２番目の表示画面は、レイアウト選択部１８において、レイアウト方法として「スリット」を選択した場合を示している。レイアウト画像のサンプル２０ｂから分かるように、「スリット」は、隙間から見える部分を表示しているようなレイアウト画像を作成するレイアウト方法である。
【００３１】
図４の上から第３番目の表示画面は、レイアウト選択部１８において、レイアウト方法として「ブロック」を選択した場合を示している。レイアウト画像のサンプル２０ｃから分かるように、「ブロック」は、画像を並べるときに余白となる部分（ブロック）を意図的に設けて、マトリクス状に並べるレイアウト方法である。ブロックには、日時や場所のテキストを加えることができる。
【００３２】
図４の最下段の表示画面は、レイアウト選択部１８において、レイアウト方法として「感性」を選択した場合を示している。レイアウト画像のサンプル２０ｄから分かるように、「感性」は、画像に何らかのエフェクトを加えて雰囲気を好みのものに変えてるレイアウト方法である。例えば画像の四隅を薄暗くしてトイカメラで撮影したようなノスタルジックな雰囲気とすることができる。余白には、日時や場所のテキストを加えることができる。
【００３３】
図６は、この発明の一実施形態の動作の流れを示すフローチャートである。図７、図８および図９は、一連の画像遷移を順に示す図である。図６のステップＳ１において、メニューボタン２５が押される。ステップＳ２において、メニュー表示がＬＣＤ１３の画面上になされる。図７の左上の表示画面ＳＴ１は、メニューボタン２５押した時にＬＣＤ１３に表示される画面であり、プリントメニュー３１が表示されている。ＬＣＤ１３としては、アスペクト比が４対３のものと、１６対９のようなワイドなものとの何れも使用できる。ここでは、ワイドＬＣＤを使用した場合を表している。
【００３４】
さらに、参照符号２４がシャッターボタンであり、参照符号２５がメニューボタンであり、参照符号２６が削除ボタンであり、参照符号２７が十字キーである。参照符号２８がズームキーであり、一端部を押している間、ズームレンズの状態が望遠側に変化し、その他端部を押している間、ズームレンズの状態が広角側に変化する。参照符号２９がダイヤルキーであり、ダイヤルキー２９を回転させることによって、表示画像を左右方向に送ることができる。
【００３５】
ステップＳ３において、十字キー２７の上下キーを操作してハイライト部分３２を上下に動かし、プリントメニュー３１中の「レイアウトプリント」の項目にハイライト部分３２を位置させた状態で、十字キー２７の中央位置の決定キーが押される。それによって、「レイアウトプリント」のメニューが選択される。
【００３６】
ステップＳ３で「レイアウトプリント」のメニューが選択されると、ステップＳ４において、レイアウトのタイプが選択される。図７において、表示画面ＳＴ２で示すように、レイアウトタイプの選択用のメニュー１８が表示される。前述したように、十字キー２７の上下キーを操作して選択したいレイアウトタイプの位置にハイライト部分１９を位置させ、十字キー２７の決定キーを押す。ここでは、レイアウトタイプとして「フリー」が選択された例について説明する。
【００３７】
ステップＳ４でレイアウトタイプが選択されると、ステップＳ５において、キャンバス画像のサイズが選択される。図７における表示画面ＳＴ３は、複数種類のキャンバス画像サイズを表示するための画面である。一例として、（2,592×1,944)（2,048×1,536）（1,280×960)（640×480）の４種類のサイズが用意されている。十字キー２７の上下キーと決定キーとを操作してキャンバス画像のサイズが選択される。ここでは、（2,592×1,944)のサイズが選択されている。
【００３８】
ステップＳ５において、キャンバス画像のサイズが選択されると、ステップＳ６において配置されるべき画像が選択される。表示画面ＳＴ４で示すように、保存されている既撮影画像を水平方向に並べてＬＣＤ１３に表示する。時間軸上に沿って複数の既撮影画像が配列されている。また、一例として、保存されている画像は、イベントと称される区切りに分けられている。例えば撮影場所に基づいてイベント分けがなされる。各イベントの中で代表画像が設定されている。
【００３９】
表示画面ＳＴ４に示すように、横方向に一列に配置されている複数の画像の上部に、イベント毎に区切られた水平線Ｌ１，Ｌ２が表示され、同一イベントに属する画像が視覚的に分かるようになされる。画像Ｐ１１およびＰ１２が同一イベントに属し、画像Ｐ２１およびＰ２２が同一イベントに属する。各イベントの中で、代表画像Ｐ２１に対応して各ライン上にドットが表示されており、且つ各イベントの代表画像Ｐ２１のみに撮影日時が表示される。
【００４０】
十字キー２７の左右キー（左または右送りキー）がイベント送りに使用される。イベント送りでは、先頭画像から先頭画像に再生画像がジャンプする動作である。一例として、右キーを押すと、再生画像が時間的に古いイベントの先頭画像にジャンプし、左キーを押すと、再生画像が時間的に新しいイベントの先頭画像にジャンプするようになされている。
【００４１】
また、各イベントの中の画像の送りは、ダイヤルキー２９を回転することによってなされる。ダイヤルキー２９を時計回転方向に回転させると、再生画像の配列が全体として左方向に送られ、ダイヤルキー２９を反時計回転方向に回転させると、既撮影画像の配列が全体として右方向に送られる。
【００４２】
表示画面ＳＴ４に示すように、選択する画像を指定するための枠状のカーソルＣｓが表示される。画像Ｐ２１に対してカーソルＣｓが位置している。若し、この状態で十字キー２７の中央位置の決定ボタンを押すと、画像Ｐ２１が配置画像として選択される。ダイヤルキー２９を回転させると、カーソルＣｓの位置が固定で、再生画像の配列がダイヤルキー２９に回転方向に対応して左右方向に送られる。
【００４３】
ステップＳ６において、配置画像が選択されると、ステップＳ７において、サイズ変更処理がなされる。サイズ変更処理は、十字キー２７の上下キーおよび左右キーを操作してなされる。表示画面ＳＴ５で示すように、選択された画像Ｐ３１がＬＣＤ１３の画面のほぼ中央位置に表示され、配置画像Ｐ３１の垂直方向のサイズが十字キー２７の上下キーによって変更され、その水平方向のサイズが十字キー２７の左右キーによって変更される。例えば上キーを押すと、垂直方向のサイズが大きくなり、下キーを押すと、垂直方向のサイズが小さくなり、左キーを押すと、水平方向のサイズが大きくなり、右キーを押すと、水平方向のサイズが小さくなる。但し、縦横比は、サイズ変更がなされても一定とされている。ＬＣＤ１３の画面の左下にナビゲータ３４の表示がなされる。
【００４４】
ＬＣＤ１３の表示画面が小さいので、サイズ調整を行う場合、キャンバス画像に対する相対的な配置画像のサイズが良く分からない場合がある。その場合には、ズームキー２８が使用される。表示画面ＳＴ５の状態からズームキー２８のワイド側が押されると、ズームアウトの動作がなされる。ズームキー２８が押されている間、表示画面ＳＴ６、表示画面ＳＴ７（図８）、表示画面ＳＴ８と、画像Ｐ３１を含むキャンバス画像が徐々にズームアウトされる。
【００４５】
例えば表示画面ＳＴ８において、参照符号３５で示すように、キャンバス画像に対応する枠３５が表示され、キャンバス画像に対する画像Ｐ３１の相対的な大きさを容易に判断することが可能となる。表示画面ＳＴ８に示されるサイズをユーザが希望するものである場合、十字キー２７の中央部の決定キーが押され、サイズが確定される（ステップＳ８）。表示画面ＳＴ９は、サイズが確定された状態を示している。
【００４６】
ステップＳ８でサイズが確定されると、ステップＳ９において、十字キー２７の上下左右キーを使用して配置画像の座標が変更される。表示画面ＳＴ１０は、配置画像Ｐ３１の位置変更動作を示すもので、十字キー２７の上下左右キーの中で押されたキーに対応する方向に配置画像Ｐ３１の位置が移動する。この配置画像Ｐ３１の位置を変更する場合において、ズームキー２８の操作によって、画像Ｐ３１を含むキャンバス画像がズームイン、またはズームアウトされる。ズームキー２８の操作によって、キャンバス画像に対する配置画像Ｐ３１の相対的な位置を容易に確認できる。
【００４７】
ステップＳ９において、座標変更がなされ、ステップＳ１０において、十字キーの決定キーを押すことが座標が確定される。表示画面ＳＴ１１が配置画像Ｐ３１の座標が確定された状態を示している。ステップＳ１１において、次の画像をキャンバス画像上に配置するか否かが決定される。
【００４８】
配置画像Ｐ３１の座標が確定した段階で、表示画面ＳＴ１２が表示される。この表示画面ＳＴ１２は、キャンバス画像に対応する枠３５内に、配置画像Ｐ３１とカーソルＣｓが表示されたものである。ユーザは、十字キー２７の左右キーを操作することによってカーソルＣｓを移動できる。十字キー２７の例えば右キーを押している間、カーソルＣｓは、サイズおよび座標が確定された配置画像（表示画面ＳＴ１２では、１個の配置画像Ｐ３１が存在している）に対して順に位置し、配置画像がなくなると、キャンバス画像の枠３５内の一部領域に位置し（表示画面ＳＴ１２の状態）、さらに、キャンバス画像の枠３５全体と一致した状態に順に遷移する。さらに、右キーを押し続けていると、カーソルＣｓが再び配置画像に位置する。
【００４９】
すなわち、右キーを押している間、カーソルＣｓの位置が（キャンバス画像の枠３５内の一部領域→キャンバス画像の枠３５全体→配置画像Ｐ３１→キャンバス画像の枠３５内の一部領域→・・・）と変化する。一方、十字キー２７の左キーを押すと、カーソルＣｓの位置の変化が逆方向となる。すなわち、（キャンバス画像の枠３５内の一部領域→配置画像Ｐ３１→キャンバス画像の枠３５全体→キャンバス画像の枠３５内の一部領域→・・・）と変化する。十字キー２７の決定キーを押した段階のカーソルＣｓの位置によって制御の内容が決定される。
【００５０】
カーソルＣｓがキャンバス画像の枠３５内の一部領域に位置している状態で決定キーが押されると、ステップＳ１１における次画像の配置が選択されたことを意味する。カーソルＣｓがキャンバス画像の枠３５全体に位置している状態で決定キーが押されると、ステップＳ１１における次画像の配置が選択されないこと、すなわち、編集終了を意味する。カーソルＣｓが配置画像Ｐ３１に位置している状態で決定キーが押されると、配置画像Ｐ３１の再編集を意味する。但し、再編集の処理については、図６のフローチャートでは、簡単のために省略されている。
【００５１】
このように、レイアウト編集を終了するか否かを決定する場合においても、ズームキー２８の操作によって、判断を容易にすることができる。例えばズームキー２８の望遠側を押すと、図９の表示画面ＳＴ１３で示すように、ズームイン動作がなされ、配置画像Ｐ３１およびキャンバス画像の枠３５が拡大される。
【００５２】
ステップＳ１１で次の画像の配置を選択した場合、ステップＳ６に処理が戻り、上述したように、ステップＳ６（配置画像選択）、ステップＳ７（サイズ変更）、ステップＳ８（サイズ確定）、ステップＳ９（座標変更）、ステップＳ１０（座標確定）の処理が順になされる。そして、図９中の表示画面ＳＴ１４で示すように、キャンバス画像上に配置画像Ｐ３１と配置画像Ｐ３２とがレイアウトされたレイアウト画像が得られる。
【００５３】
表示画面ＳＴ１４で示すように、キャンバス画像の枠３５全体にカーソルＣｓが位置している状態で、十字キー２７の決定キーを押すことによって編集を終了する。図６のフローチャート中のステップＳ１２で示すように、編集が終了すると、自動的にレイアウト画像が内部記録媒体または外部記録媒体に対して保存される。
【００５４】
ステップＳ１２において、レイアウト画像を保存すると、ステップＳ１３において、プリントするか否かが決定される。例えばPictBridgeの規格に基づいて、プリンタは、ＵＳＢ等のインターフェースを介してディジタルカメラに対して直接接続されている。プリントするか否かは、例えばプリント設定用のメニューをＬＣＤ１３に表示して十字キー２７を操作することで決定される。プリントを選択した場合では、ステップＳ１４でプリントが開始される。プリントを行わない場合には、処理が終了する。
【００５５】
図９は、図６のフローチャートでは示されていないさらなる処理を行った場合の画面遷移を示している。表示画面ＳＴ１４において、決定キーが押されることによって編集が終了すると、動作が日付選択モードに遷移する。表示画面ＳＴ１５で示すように、配置画像Ｐ３１およびＰ３２のそれぞれの付加情報に含まれる撮影日付がＬＣＤ１３の画面上に表示される。また、日付を挿入しない項目（「なし」）も表示されている。
【００５６】
十字キー２７の上下キーを操作してハイライト部分３６の位置を変更し、決定キーを押すことによって挿入したい日付を選択することができる。なお、ユーザが所望の日付のテキストを挿入できるようにしても良く、日付に対して時間の情報を付加しても良い。
【００５７】
日付を決定すると、場所選択モードに動作が遷移する。配置画像Ｐ３１およびＰ３２のそれぞれの付加情報に含まれる撮影場所を表すテキストがＬＣＤ１３の画面上に表示される。また、場所を挿入しない項目（「なし」）も表示されている。
【００５８】
十字キー２７の上下キーを操作してハイライト部分３７の位置を変更し、決定キーを押すことによって挿入したい場所を選択することができる。なお、ユーザが所望の場所のテキストを挿入できるようにしても良い。
【００５９】
挿入すべき日付と場所のテキストの選択が終了すると、テキストのサイズおよび位置を編集するテキスト編集モードに動作が遷移する。例えば最初に日付のテキストの編集がなされ、次に場所のテキストの編集がなされる。テキスト編集モードにおけるサイズおよび位置の変更動作は、上述した画像に関するものと同様であるので、その説明については、省略する。図９における表示画面ＳＴ１７は、テキスト編集モードが終了した段階を示している。編集完了後のレイアウト画像は、記録媒体に保存される。
【００６０】
このように、画像のレイアウト編集およびテキストのレイアウト編集が全て終了した段階において、表示画面ＳＴ１８で示すように、プリントの選択を行うためのメニュー３８が表示される。十字キー２７を操作することによって、プリントを選択的に行うことができる。
【００６１】
この発明は、上述したこの発明の一実施形態等に限定されるものでは無く、この発明の要旨を逸脱しない範囲内で様々な変形や応用が可能である。例えばこの発明は、表示部として液晶以外の有機ＥＬ(Electroluminescence:電界発光効果)等の表示素子を利用するようにしても良い。
【図面の簡単な説明】
【００６２】
【図１】この発明による撮像装置の一実施形態の構成を示すブロック図である。
【図２】この発明の一実施形態におけるレイアウト編集された画像の一例を示す略線図である。
【図３】この発明の一実施形態におけるレイアウト編集を説明するための略線図である。
【図４】この発明の一実施形態におけるレイアウト編集時のテンプレートを説明するための略線図である。
【図５】この発明の一実施形態におけるレイアウト編集時に日記のテンプレートを使用して作成されたレイアウト画像を説明するための略線図である。
【図６】この発明の一実施形態の動作を説明するためのフローチャートである。
【図７】ワイドＬＣＤを使用した場合における画面表示の遷移の一例を示す略線図である。
【図８】ワイドＬＣＤを使用した場合における画面表示の遷移の一例を示す略線図である。
【図９】ワイドＬＣＤを使用した場合における画面表示の遷移の一例を示す略線図である。
【符号の説明】
【００６３】
１・・・処理部
２・・・ＣＰＵ
３・・・内部記録媒体
９・・・操作部
１１・・・外部記録媒体
１２・・・ＣＣＤ
１３・・・ＬＣＤ
２４・・・シャッターボタン
２５・・・メニューボタン
２７・・・十字キー
【図１】
2006115044.tif 000003
【図２】
2006115044.tif 000004
【図３】
2006115044.tif 000005
【図４】
2006115044.tif 000006
【図５】
2006115044.tif 000007
【図６】
2006115044.tif 000008
【図７】
2006115044.tif 000009
【図８】
2006115044.tif 000010
【図９】
2006115044.tif 000011